(57)【要約】【課題】１つの画素に互いに色の異なる４つのサブ画素を備える液晶表示パネルを含む液晶表示装置において、消費電力の増大を抑えながら、フリッカの発生や、基準電位からの共通電極電位のずれの発生を抑えることにある。【解決手段】各映像信号線Ｓは、当該映像信号線Ｓの一方側に位置する複数のサブ画素Ｐと他方側に位置する複数のサブ画素Ｐとに交互に接続されている。１フレーム期間において、映像信号線の単位配列を構成する８つの映像信号線Ｓ１〜Ｓ８のうち１番目、３番目、４番目及び６番目の映像信号線Ｓ１，Ｓ３，Ｓ４，Ｓ６には正極又は負極のうち一方の極性の映像信号が出力される。残りの映像信号線Ｓ２，Ｓ５，Ｓ７，Ｓ８には、他方の極性の映像信号が出力される。【選択図】図４
2013020188.tif 000002
【特許請求の範囲】
【請求項１】
格子状に形成される複数の走査線と複数の映像信号線と、隣接する２つの映像信号線と隣接する２つの走査線とによって囲まれる各領域にそれぞれ設けられる複数のサブ画素とを含む液晶表示パネルと、
フレーム反転駆動方式で前記複数の映像信号線に映像信号を出力する駆動回路と、を備える液晶表示装置において、
前記複数の映像信号線は第１の方向に並んでおり、
前記複数のサブ画素は、互いに色が異なるとともに前記第１の方向に並ぶ４つのサブ画素で、各画素を構成しており、
前記複数の映像信号線のそれぞれは、当該映像信号線の一方側に位置する複数のサブ画素と他方側に位置する複数のサブ画素とに交互に接続され、
前記複数の映像信号線は、その単位配列に、連続する８つの映像信号線を含み、
前記駆動回路は、１フレーム期間において、前記単位配列を構成する前記８つの映像信号線のうち１番目、３番目、４番目及び６番目の映像信号線に正極又は負極のうち一方の極性の映像信号を出力し、前記８つの映像信号線のうち残りの映像信号線に他方の極性の映像信号を出力する、
ことを特徴とする液晶表示装置。
【請求項２】
請求項１に記載の液晶表示装置において、
前記液晶表示パネルは、赤サブ画素、緑サブ画素、青サブ画素、及び白サブ画素を各画素に含み、
前記３番目の映像信号線と前記４番目の映像信号線との間、及び、前記８つの映像信号線のうち７番目の映像信号線と８番目の映像信号線との間に、前記複数の映像信号線に沿った方向に並ぶ複数の青サブ画素が設けられている、
ことを特徴とする液晶表示装置。
【請求項３】
請求項１に記載の液晶表示装置において、
前記液晶表示パネルは、赤サブ画素、緑サブ画素、青サブ画素、及び白サブ画素を各画素に含み、
前記３番目の映像信号線と前記４番目の映像信号線との間、及び、前記８つの映像信号線のうち７番目の映像信号線と８番目の映像信号線との間に、前記複数の映像信号線に沿った方向に並ぶ複数の赤サブ画素が設けられている、
ことを特徴とする液晶表示装置。
【発明の詳細な説明】
【技術分野】
【０００１】
本発明は、４つのサブ画素を各画素に含む液晶表示パネルを備える液晶表示装置に関する。
【背景技術】
【０００２】
多くの液晶表示装置では、各画素に出力する映像信号の極性をフレーム毎に反転させるフレーム反転駆動が行われている。また、赤、青、緑の３色のサブ画素を各画素に含む液晶表示パネルを備える従来の液晶表示装置の中には、映像信号の極性をサブ画素毎に反転させるドット反転駆動を行うものもある。ドット反転駆動によれば、フリッカの発生や、基準電位からの共通電極電位のずれの発生を抑えることができる。
【０００３】
ところで、下記特許文献１では、各画素に、赤、青、緑の３つのサブ画素に加えて、白サブ画素を含む液晶表示パネルが提案されている。このような表示パネルによれば、表示画像の輝度を向上できる。
【先行技術文献】
【特許文献】
【０００４】
【特許文献１】特開平１１−２９５７１７号公報
【発明の概要】
【発明が解決しようとする課題】
【０００５】
ドット反転駆動を行うと、映像信号の極性の反転周波数が高いために、消費電力が大きくなる。このことは、４つのサブ画素を１つの画素に含む液晶表示パネルにおいては、そのサブ画素数の増大により、特に問題となる。
【０００６】
本発明の目的は、１つの画素に互いに色の異なる４つのサブ画素を備える液晶表示パネルを含む液晶表示装置において、消費電力の増大を抑えながら、フリッカの発生や、基準電位からの共通電極電位のずれの発生を抑えることにある。
【課題を解決するための手段】
【０００７】
本発明に係る液晶表示装置は液晶表示パネルと駆動回路とを含む。前記液晶表示パネルは、格子状に形成される複数の走査線と複数の映像信号線と、隣接する２つの映像信号線と隣接する２つの走査線とによって囲まれる各領域にそれぞれ設けられる複数のサブ画素とを含む。前記駆動回路は、フレーム反転駆動方式で前記複数の映像信号線に映像信号を出力する。前記複数の映像信号線は第１の方向に並んでおり、前記複数のサブ画素は、互いに色が異なるとともに前記第１の方向に並ぶ４つのサブ画素で、各画素を構成している。前記複数の映像信号線のそれぞれは、当該映像信号線の一方側に位置する複数のサブ画素と他方側に位置する複数のサブ画素とに交互に接続されている。前記複数の映像信号線は、その単位配列に、連続する８つの映像信号線を含んでいる。記駆動回路は、１フレーム期間において、前記単位配列を構成する前記８つの映像信号線のうち１番目、３番目、４番目及び６番目の映像信号線に正極又は負極のうち一方の極性の映像信号を出力し、前記８つの映像信号線のうち残りの映像信号線に他方の極性の映像信号を出力する。
【０００８】
本発明によれば、消費電力の増大を抑えながら、フリッカの発生や、基準電位からの共通電極電位のずれの発生を抑えることにある。
【０００９】
また、本発明の一態様では、前記液晶表示パネルは、赤サブ画素、緑サブ画素、青サブ画素、及び白サブ画素を各画素に含んでもよい。そして、前記３番目の映像信号線と前記４番目の映像信号線との間、及び、前記８つの映像信号線のうち７番目の映像信号線と８番目の映像信号線との間に、前記複数の映像信号線に沿った方向に並ぶ複数の青サブ画素が形成されてもよい。この態様によれば、青の単色表示の場合に表示画像に縦スジが生じる可能性があるものの、青の輝度は比較的低いため、画質に対する影響は小さく、十分に良質な画像が得られる。
【００１０】
また、本発明の他の態様では、前記液晶表示パネルは、赤サブ画素、緑サブ画素、青サブ画素、及び白サブ画素を各画素に含んでもよい。そして、前記３番目の映像信号線と前記４番目の映像信号線との間、及び、前記８つの映像信号線のうち７番目の映像信号線と８番目の映像信号線との間に、前記複数の映像信号線に沿った方向に並ぶ複数の赤サブ画素が形成されてもよい。この態様によれば、赤の単色表示の場合に表示画像に縦スジが生じる可能性があるものの、赤の輝度は比較的低いため、画質に対する影響は小さく、十分に良質な画像が得られる。
【図面の簡単な説明】
【００１１】
【図１】本発明の一実施形態に係る液晶表示装置の構成を概略的に示す図である。
【図２】上記液晶表示装置の液晶表示パネルを構成するＴＦＴ基板に形成される回路を概略的に示す図である。
【図３】図２の拡大図である。
【図４】単位配列を構成する８つの映像信号線に出力される映像信号の極性を示す図である。
【図５】図４に示す偶数フレーム期間の映像信号が映像信号線に出力された場合に得られる、各サブ画素の極性を示す図である。
【図６】信号線駆動回路と走査線駆動回路の動作を説明するためのタイムチャートである。
【図７】本発明の実施形態に係る液晶表示パネルを構成するＴＦＴ基板に形成される回路の他の例を概略的に示す図である。
【図８】図７に示す回路が形成された液晶表示パネルに、図４に示す偶数フレーム期間の映像信号が映像信号線に出力された場合に得られる、各サブ画素の極性を示す図である。
【発明を実施するための形態】
【００１２】
以下、本発明の一実施形態について図面を参照しながら説明する。図１は本発明の実施形態に係る液晶表示装置１の構成を概略的に示す図である。
【００１３】
図１に示すように、液晶表示装置１は液晶表示パネル１０と、制御回路２と、信号線駆動回路３と、走査線駆動回路４とを備えている。また、液晶表示装置１は、液晶表示パネル１０に光を照射するバックライトユニット（不図示）をも備えている。
【００１４】
液晶表示装置１は例えばテレビジョンの表示装置である。制御回路２は外部装置から映像データを取得する。ここで、外部装置は例えばチューナや映像データが格納された記録媒体を再生する映像再生装置などである。制御回路２は映像データに基づいて水平同期信号や垂直同期信号などのタイミング制御信号を生成し、この制御信号を信号線駆動回路３と走査線駆動回路４とに出力する。また、制御回路２は、取得した映像データから、液晶表示パネル１０に形成される各サブ画素の階調値を示す映像信号を生成し、この信号を信号線駆動回路３に出力する。また、この例の液晶表示パネル１０は、後において詳説するように、各画素に、赤、緑、青のサブ画素に加えて、白のサブ画素を有している。制御回路２は、取得した映像データに基づいて白のサブ画素の階調値を示す映像信号を生成し、この信号を信号線駆動回路３に出力する。
【００１５】
液晶表示パネル１０は、対向する２つの透明基板（例えばガラス基板）を備えている。一方の基板は後述するＴＦＴ（薄膜トランジスタ）１２が形成されたＴＦＴ基板であり、他方の基板はカラーフィルタが形成されたカラーフィルタ基板である。これら２つの透明基板の間に液晶層が形成されている。液晶表示パネル１０は例えばＩＰＳ方式（Ｉｎ−Ｐｌａｎｅ  Ｓｗｉｔｃｈｉｎｇ  Ｍｏｄｅ）のパネルである。なお、本発明は、ＴＮ方式（Ｔｗｉｓｔｅｄ  Ｎｅｍａｔｉｃ  Ｍｏｄｅ）やＶＡ方式（Ｖｅｒｔｉｃａｌ  Ａｌｉｇｎｍｅｎｔ  Ｍｏｄｅ）など種々の液晶表示パネルに適用されてよい。
【００１６】
図２はＴＦＴ基板に形成される回路を概略的に示す図である。図２においては、後の説明のために、映像信号線の符号Ｓに８ｎ−１，１ｎ〜８ｎ，１ｎ＋１の添え字が付されている。また、走査線の符号Ｇにも添え字ｎが付されている。以下の説明では、図２に示す映像信号線Ｓ１ｎ〜Ｓ８ｎを中心にして説明するが、以下の映像信号線Ｓ１ｎ〜Ｓ８ｎについての説明は、他の配列単位を構成する映像信号線Ｓ１ｎ−１〜Ｓ８ｎ−１や、映像信号線Ｓ１ｎ＋１〜Ｓ８ｎ＋１についても当然に適用される。また、以下において、特定の映像信号線や走査線、サブ画素の色に言及しない説明では、単に映像信号線Ｓ，走査線Ｇと記す。
【００１７】
図２に示すように、ＴＦＴ基板には、複数の映像信号線Ｓと複数の走査線Ｇとが格子状に形成されている。すなわち、複数の映像信号線Ｓは垂直方向Ｙに沿って形成され、水平方向Ｘ（請求項における第１の方向）に等間隔で並んでいる。複数の走査線Ｇは水平方向Ｘに沿って形成され、垂直方向Ｙに等間隔で並んでいる。隣接する２つの映像信号線Ｓと隣接する２つの走査線Ｇとで囲まれる各領域にサブ画素が設けられている。
【００１８】
図１に示すように、走査線Ｇは走査線駆動回路４に接続されている。走査線駆動回路４は、制御回路２から出力されるタイミング制御信号に従って走査線Ｇを垂直方向Ｙに順番に選択し、選択した走査線Ｇに走査信号（ゲート電圧）を出力する。走査信号が入力された走査線Ｇに接続されたサブ画素（具体的には各サブ画素のＴＦＴ１２）はオン状態となる。走査線駆動回路４が全ての走査線Ｇの選択に要する期間が１フレーム期間である。
【００１９】
図１に示すように、映像信号線Ｓは信号線駆動回路３に接続されている。信号線駆動回路３は、走査線駆動回路４による走査線Ｇの選択に同期しながら、各サブ画素の階調値を示す映像信号（階調値に応じた電圧）を映像信号線Ｓに出力する。すなわち、信号線駆動回路３は、選択された走査線Ｇに接続されたサブ画素の階調値に対応した映像信号を、映像信号線Ｓを通して当該サブ画素に入力する。
【００２０】
図２に示すように、液晶表示パネル１０は、後述する画素電極１１に対向する共通電極１５を備えている。共通電極１５は、映像信号線Ｓに交差する方向、すなわち水平方向Ｘに沿って形成される複数の共通電極線１５ａを含んでいる。液晶表示パネル１０がＩＰＳ方式の場合には、共通電極１５と共通電極線１５ａはＴＦＴ基板に形成される。また、液晶表示パネル１０がＴＮ方式やＶＡ方式の場合には、共通電極１５と共通電極線１５ａはカラーフィルタ基板に形成される。共通電極線１５ａは走査線駆動回路４を構成するＩＣに接続される。共通電極１５には、その電圧（以下、共通電極電位Ｖｃｏｍ）が基準電圧となるように、共通電極線１５ａを通して電圧が印加される。
【００２１】
図２に示すように、この例の液晶表示パネル１０では、各画素（単位画素）Ｐは、水平方向Ｘに並ぶ４つのサブ画素を有している。４つのサブ画素の色は互いに異なっている。具体的には、各画素Ｐは、赤サブ画素Ｐｒ，緑サブ画素Ｐｇ，青サブ画素Ｐｂ，白サブ画素Ｐｗを有している。赤サブ画素Ｐｒ，緑サブ画素Ｐｇ，青サブ画素Ｐｂ，白サブ画素Ｐｗは全ての画素において同じ順序で並んでいる。この例では、赤サブ画素Ｐｒ，緑サブ画素Ｐｇ，青サブ画素Ｐｂ，白サブ画素Ｐｗは、水平方向Ｘにこの順序で並んでいる。また、垂直方向Ｙにおいては、同色のサブ画素が並んでいる。なお、図２においては、簡略化のために、１つの画素Ｐを構成するサブ画素にのみ符合Ｐｒ，Ｐｇ，Ｐｂ，Ｐｗが付されている。
【００２２】
カラーフィルタ基板において白サブ画素Ｐｗに対応する領域には、例えば、白の色材がフィルタとして形成される。また、白サブ画素Ｐｗに対応する領域には、色材が形成されることなく、カラーフィルタ基板を覆うオーバーコート層が形成され、当該オーバーコート層が光を透過するフィルタとして機能してもよい。さらに、白サブ画素Ｐｗに対応する領域には、青など色材が部分的に形成され、その色材の隙間から光を透過させることで白サブ画素を実現してもよい。
【００２３】
図３は図２の拡大図である。図３に示すように、ＴＦＴ基板は各サブ画素に画素電極１１を有している。また、ＴＦＴ基板は、各サブ画素に、画素電極１１と映像信号線Ｓとの導通をオン／オフするスイッチ素子として機能するＴＦＴ１２を有している。ＴＦＴ１２は走査線Ｇに接続されるゲート１２Ｇと、映像信号線Ｓに接続されるソース１２Ｓと、画素電極１１に接続されるドレイン１２Ｄとを含んでいる。
【００２４】
図２に示すように、各映像信号線Ｓは、当該映像信号線Ｓの一方側（図２において例えば右側）に位置する複数のサブ画素と他方側（図２において例えば左側）に位置する複数のサブ画素とに交互に接続されている。換言すると、垂直方向Ｙで隣接する２つのサブ画素のうち一方は、当該２つのサブ画素を間にする２つの映像信号線Ｓのうち一方に接続され、他方のサブ画素は他方の映像信号線Ｓに接続されている。
【００２５】
図２を参照すると、映像信号線Ｓ１ｎは、映像信号線Ｓ１ｎの右側に位置する赤サブ画素Ｐｒと、映像信号線Ｓ１ｎの左側に位置する白サブ画素Ｐｗとに、垂直方向Ｙに向かって交互に接続されている。他の映像信号線Ｓ２ｎ〜Ｓ８ｎも、同様に、各映像信号線Ｓ２ｎ〜Ｓ８ｎの一方側に位置する複数のサブ画素と、他方側に位置する複数のサブ画素とに交互に接続されている。なお、ここで、「映像信号線Ｓがサブ画素に接続される」とは、「映像信号線Ｓがサブ画素のＴＦＴ１２のソース１２Ｓに接続される」を意味する。
【００２６】
上述した信号線駆動回路３は、フレーム反転駆動方式で、複数の映像信号線Ｓに映像信号を出力する。すなわち、信号線駆動回路３は、各映像信号線Ｓに対して出力する映像信号の極性（正極、負極）をフレーム毎に反転させる。ここで正極の映像信号とは共通電極電位Ｖｃｏｍよりも高い電圧の映像信号である。また、負極の映像信号とは共通電極電位Ｖｃｏｍよりも低い電圧の映像信号である。
【００２７】
ＴＦＴ基板に形成される複数の映像信号線Ｓは、図２に示すように、連続する８つの映像信号線Ｓ１ｎ〜Ｓ８ｎからなる映像信号線群を、その単位配列としている。すなわち、映像信号線Ｓ１ｎ〜Ｓ８ｎで構成される単位配列が水平方向Ｘに並んでいる。１フレーム期間において、信号線駆動回路３は映像信号線Ｓ１ｎ〜Ｓ８ｎのうち１，３，４，６番目の映像信号線Ｓ１ｎ，Ｓ３ｎ，Ｓ４ｎ，Ｓ６ｎに正極又は負極のうち一方の極性の映像信号を出力し、残りの映像信号線Ｓ２ｎ，Ｓ５ｎ，Ｓ７ｎ，Ｓ８ｎに他方の極性の映像信号を出力する。信号線駆動回路３は、各フレーム期間において、映像信号線Ｓ１ｎ，Ｓ３ｎ，Ｓ４ｎ，Ｓ６ｎに出力する映像信号の極性を一方の極性に維持し、映像信号線Ｓ２ｎ，Ｓ５ｎ，Ｓ７ｎ，Ｓ８ｎに出力する映像信号の極性を他方の極性に維持する。こうすることにより、映像信号の極性の反転周波数を抑えることができ、信号線駆動回路３の消費電力を低減できる。
【００２８】
図４は映像信号線Ｓに出力される映像信号の極性の例を示す図である。図４では正極は“＋”で示され、負極は“−”で示されている。例えばこの図に示すように、信号線駆動回路３は、偶数フレーム期間において、映像信号線Ｓ１ｎ，Ｓ３ｎ，Ｓ４ｎ，Ｓ６ｎに正極の映像信号を出力し、残りの映像信号線Ｓ２ｎ，Ｓ５ｎ，Ｓ７ｎ，Ｓ８ｎに負極の映像信号を出力する。上述したように、信号線駆動回路３はフレーム反転駆動方式で映像信号を出力している。そのため、図４の例では、信号線駆動回路３は、奇数フレーム期間においては、映像信号線Ｓ１ｎ，Ｓ３ｎ，Ｓ４ｎ，Ｓ６ｎに負極の映像信号を出力し、残りの映像信号線Ｓ２ｎ，Ｓ５ｎ，Ｓ７ｎ，Ｓ８ｎに正極の映像信号を出力する。
【００２９】
映像信号の極性をこのように規定することにより、フリッカの発生や共通電極電位Ｖｃｏｍの基準電位からのずれの発生を抑えることができる。以下、これについて図５を参照して説明する。図５は、図４に示す偶数フレーム期間の映像信号が映像信号線Ｓ１ｎ〜Ｓ８ｎに出力された場合に得られる、各サブ画素の極性を示す図である。なお、奇数フレーム期間における極性は、全てのサブ画素において、図５に示す極性と反対の極性となる。なお、ここでサブ画素の極性とは、当該サブ画素が含む画素電極１１の極性である。
【００３０】
上述したように、各映像信号線Ｓはその一方側に位置する複数のサブ画素と他方側に位置する複数のサブ画素とに交互に接続されている。例えば映像信号線Ｓ１ｎと映像信号線Ｓ２ｎとの間で垂直方向Ｙに並ぶ赤サブ画素Ｐｒは、映像信号線Ｓ１ｎと映像信号線Ｓ２ｎとに交互に接続されている。そのため、この赤サブ画素Ｐｒの極性は、偶数フレーム期間においては、図５に示すように＋、−、＋、−・・・となる。また、映像信号線Ｓ５ｎと映像信号線Ｓ６ｎとの間で垂直方向Ｙに並ぶ赤サブ画素Ｐｒは、映像信号線Ｓ５と映像信号線Ｓ６とに交互に接続されている。そのため、この赤サブ画素Ｐｒの極性は、偶数フレーム期間においては、図５に示すように−、＋、−、＋・・・となる。すなわち、赤サブ画素Ｐｒに注目した場合、水平方向Ｘと垂直方向Ｙのいずれの方向においても負極のサブ画素と正極のサブ画素は交互に並んでいる。同じことは、緑サブ画素Ｐｇと白サブ画素Ｐｗについても成り立っている。すなわち、緑サブ画素Ｐｇに注目した場合、負極と正極とが水平方向Ｘと垂直方向Ｙのいずれの方向においても交互に並ぶ。また、白サブ画素Ｐｗに注目した場合も、負極と正極とが水平方向Ｘと垂直方向Ｙのいずれの方向においても交互に並ぶ。そのため、赤や緑の単色表示や、白サブ画素Ｐｗの発光がなされた場合であっても、フリッカの発生を抑えることができる（ここで、単色表示時とは、他の色のサブ画素の画素電極１１の電位が基準電圧と一致している時である）。また、赤や緑の単色表示や、白サブ画素Ｐｗの発光がなされた場合であっても、正極と負極とが水平方向Ｘに交互に並ぶため、サブ画素の水平方向Ｘでの電位平均（画素電極１１の電位平均）が共通電極電位Ｖｃｏｍの基準電位から大きくずれることが抑えられる。その結果、共通電極線１５ａの電位が画素電極１１の電位の影響を受けるために共通電極電位Ｖｃｏｍが基準電位からずれること（すなわち、共通電極電位Ｖｃｏｍと画素電極１１との電位差が小さくなること）、を抑えることができる。これにより、表示画面の輝度が低下することを抑えることができる。
【００３１】
青サブ画素Ｐｂについては次の極性配置が成り立っている。図２に示すように、複数の青サブ画素Ｐｂは、互いに隣接するとともに同じ極性の映像信号が入力される映像信号線Ｓ３ｎと映像信号線Ｓ４ｎとの間、及び、互いに隣接するとともに同じ極性の映像信号が入力される映像信号線Ｓ７ｎと映像信号線Ｓ８ｎとの間で、垂直方向Ｙに並んでいる。映像信号線Ｓ３ｎ，Ｓ４ｎに入力される映像信号の極性と、映像信号線Ｓ７ｎ，Ｓ８ｎに入力される映像信号の極性は、互いに異なっている（図４参照）。そのため、水平方向Ｘに並ぶ青サブ画素Ｐｂは、図５に示すように、正極と負極とを交互に有する。その結果、フリッカの発生を抑えることができる。さらに、青の単色表示がなされた場合であっても、水平方向Ｘに並ぶ青サブ画素Ｐｂの電位平均が共通電極電位Ｖｃｏｍの基準電位からずれることが抑えられ、共通電極電位Ｖｃｏｍが基準電位からずれることが抑えられる。なお、垂直方向Ｙに並ぶ青サブ画素Ｐｂに注目した場合、全ての青サブ画素Ｐｂの極性は負極又は正極となっている。そのため、青の単色表示の場合に表示画像に縦スジが生じる可能性があるものの、青の輝度は比較的低いため、画質に対する影響は小さく、十分に良質な画像が得られる。
【００３２】
図６は信号線駆動回路３と動作を説明するためのタイムチャートである。なお、同図では、映像信号線Ｓ１ｎ，Ｓ２ｎの間の赤サブ画素Ｐｒの階調値に応じた映像信号にｒ１が付され、映像信号線Ｓ５ｎ，Ｓ６ｎの間の赤サブ画素Ｐｒの階調値に応じた映像信号にｒ２が付されている。緑、青、及び白のサブ画素の階調値に応じた映像信号についても、同様の規則で、ｇ１，ｇ２，ｂ１，ｂ２，ｗ１，ｗ２が付されている。また、映像信号線Ｓ１ｎと、その隣の単位配列を構成する８番目の映像信号線Ｓ８ｎ−１（図２参照）との間の白サブ画素Ｐｗの階調値に応じた映像信号には、ｗ２’が付されている。
【００３３】
偶数フレーム期間において、信号線駆動回路３は、走査線Ｇｎの走査タイミングでは、映像信号線Ｓ１ｎ〜Ｓ８ｎの一方側（図２では右側）に設けられ走査線Ｇｎに接続されるサブ画素の階調値に応じた映像信号を、映像信号線Ｓ１ｎ〜Ｓ８ｎに出力する。すなわち、信号線駆動回路３は、走査線Ｇｎに走査信号が出力されるタイミングに合わせて、走査線Ｇｎに接続されたサブ画素Ｐｒ，Ｐｇ，Ｐｂ，Ｐｗ，Ｐｒ，Ｐｇ，Ｐｂ，Ｐｗの階調値に応じた映像信号ｒ１，ｇ１，ｂ１，ｗ１，ｒ２，ｇ２，ｂ２，ｗ２を、映像信号線Ｓ１ｎ〜Ｓ８ｎにそれぞれ出力する。また、信号線駆動回路３は、次の走査線Ｇｎ＋１の走査タイミングでは、映像信号線Ｓ１ｎ〜Ｓ８ｎの他方側（図２では左側）に設けられ且つ走査線Ｇｎ＋１に接続されるサブ画素の階調値に応じた映像信号を、映像信号線Ｓ１ｎ〜Ｓ８ｎに出力する。すなわち、信号線駆動回路３は、走査線Ｇｎ＋１に走査信号が出力されるタイミングに合わせて、走査線Ｇｎ＋１に接続されたサブ画素Ｐｒ，Ｐｇ，Ｐｂ，Ｐｗ，Ｐｒ，Ｐｇ，Ｐｂの階調値に応じた映像信号ｒ１，ｇ１，ｂ１，ｗ１，ｒ２，ｇ２，ｂ２を、映像信号線Ｓ２ｎ〜Ｓ８ｎにそれぞれ出力する。この時、映像信号線Ｓ１ｎには、走査線Ｇｎ＋１に接続され且つ映像信号線Ｓ８ｎ−１，Ｓ１ｎの間に配置される白サブ画素Ｐｗの階調値に応じた映像信号ｗ２’を出力する。その後、信号線駆動回路３は、走査線Ｇｎ＋２の走査タイミングでは、再び、映像信号線Ｓ１ｎ〜Ｓ８ｎの一方側に設けられ且つ走査線Ｇｎ＋２に接続されたサブ画素の、階調値に応じた映像信号を、映像信号線Ｓ１ｎ〜Ｓ８ｎに出力する。すなわち、信号線駆動回路３は、１フレーム期間において、各映像信号線Ｓを通して、当該映像信号線Ｓの一方側に配置されるサブ画素と、他方側に配置されるサブ画素とに交互に映像信号を入力する。映像信号線Ｓ１ｎ〜Ｓ８ｎに出力される映像信号の極性は、この偶数フレーム期間において、＋，−，＋，＋，−，＋，−，−に維持される。このため、映像信号の反転周波数を低減し、消費電力の増大を抑えることができる。
【００３４】
図６に示すように、奇数フレーム期間中、信号線駆動回路３が映像信号線Ｓ１ｎ〜Ｓ８ｎに出力する映像信号の極性は、偶数フレーム期間中のそれらの極性とは反転している。すなわち、信号線駆動回路３が映像信号線Ｓ１ｎ〜Ｓ８ｎに出力する映像信号の極性は、−，＋，−，−，＋，−，＋，＋に、奇数フレーム期間中維持される。奇数フレーム期間中の信号線駆動回路３の動作は、信号線駆動回路３が各映像信号線Ｓを通して、当該映像信号線Ｓの一方側に配置されるサブ画素と、他方側に配置されるサブ画素とに交互に映像信号を入力する点については、偶数フレーム期間と同様である。
【００３５】
図７は本発明の実施形態に係るＴＦＴ基板に形成される回路の他の例を概略的に示す図である。なお、図７では、これまで説明した箇所と同一箇所には同一符号を付している。以下では、これまで説明した例と異なる点についてのみ説明し、説明のない事項はこれまで説明した例と同様である。
【００３６】
図７に示す例は、これまで説明した例とは、映像信号線Ｓ１ｎ〜Ｓ８ｎに対する４つのサブ画素Ｐｒ，Ｐｇ，Ｐｂ，Ｐｗの位置が異なっている。すなわち、この例では、映像信号線Ｓ１ｎと映像信号線Ｓ２ｎとの間、及び、映像信号線Ｓ５ｎと映像信号線Ｓ６ｎとの間に、垂直方向Ｙに並ぶ青サブ画素Ｐｂが配置されている。この例でも、サブ画素Ｐｒ,Ｐｇ，Ｐｂ，Ｐｗは、この順番で、水平方向Ｘに繰り返し並んでいる。そのため、映像信号線Ｓ３ｎと映像信号線Ｓ４ｎとの間、及び、映像信号線Ｓ７ｎと映像信号線Ｓ８ｎとの間には、垂直方向Ｙに並ぶ複数の赤サブ画素Ｐｒが配置されている。
【００３７】
映像信号線Ｓ１ｎ〜Ｓ８ｎに対するサブ画素Ｐｒ，Ｐｇ，Ｐｂ，Ｐｗの位置が図７に示す例の場合であっても、映像信号線Ｓ１ｎ〜Ｓ８ｎに出力する映像信号の極性を図４と同様にすることにより、フリッカの発生や共通電極電位Ｖｃｏｍの基準電位からのずれの発生を抑えることができる。以下、これについて図８の例を参照して説明する。図８は、図７に示す回路が形成された液晶表示パネルに、図４に示す偶数フレーム期間の映像信号が映像信号線Ｓに出力された場合に得られる、各サブ画素の極性を示す図である。
【００３８】
図７に示すように、映像信号線Ｓ１ｎと映像信号線Ｓ２ｎとの間で垂直方向Ｙに並ぶ青サブ画素Ｐｂは、映像信号線Ｓ１ｎと映像信号線Ｓ２ｎとに交互に接続されている。そのため、この青サブ画素Ｐｂの極性は、図８に示すように、＋、−、＋、−・・・となる。また、映像信号線Ｓ５ｎと映像信号線Ｓ６ｎとの間で垂直方向Ｙに並ぶ青サブ画素Ｐｂは、図７に示すように、映像信号線Ｓ５ｎと映像信号線Ｓ６ｎとに交互に接続されている。そのため、この青サブ画素Ｐｒの極性は、図８に示すように、−、＋、−、＋・・・となる。すなわち、青サブ画素Ｐｂに注目した場合、水平方向Ｘと垂直方向Ｙのいずれの方向においても負極と正極とが交互に並んでいる。同じことは、緑サブ画素Ｐｇと白サブ画素Ｐｗについても成り立っている。すなわち、緑サブ画素Ｐｇに注目した場合、正極と負極とが水平方向Ｘと垂直方向Ｙのいずれの方向においても交互に並んでいる。また、白サブ画素Ｐｗに注目した場合も、正極と負極とが、水平方向Ｘと垂直方向Ｙのいずれの方向においても交互に並んでいる。そのため、青や緑の単色表示や、白サブ画素Ｐｗの発光がなされた場合であっても、フリッカの発生を抑えることができる。また、青や緑の単色表示や、白サブ画素Ｐｗの発光がなされた場合であっても、正極と負極とが水平方向Ｘに交互に並ぶため、サブ画素の水平方向Ｘでの電位平均が共通電極電位Ｖｃｏｍの基準電位から大きくずれることが抑えられる。その結果、共通電極線１５ａの電位が画素電極１１の電位の影響を受けるために共通電極電位Ｖｃｏｍが基準電位からずれること、を抑えることができる。これにより、表示画面の輝度が低下することを抑えることができる。
【００３９】
また、赤サブ画素Ｐｒについては次の極性配置が成り立っている。図７に示すように、赤サブ画素Ｐｒは、互いに隣接するとともに同じ極性の映像信号が入力される映像信号線Ｓ３ｎと映像信号線Ｓ４ｎとの間、及び、互いに隣接するとともに同じ極性の映像信号が入力される映像信号線Ｓ７ｎと映像信号線Ｓ８ｎとの間で、垂直方向Ｙに並んでいる。映像信号線Ｓ３ｎ，Ｓ４ｎに入力される映像信号の極性と、映像信号線Ｓ７ｎ，Ｓ８ｎに入力される映像信号の極性は、互いに異なっている（図４参照）。そのため、水平方向Ｘに並ぶ赤サブ画素Ｐｒは、図８に示すように、正極と負極とを交互に有する。その結果、フリッカの発生を抑えることができる。さらに、赤の単色表示がなされた場合であっても、水平方向Ｘに並ぶ赤サブ画素Ｐｒの電位平均が基準電位からずれることが抑えられるので、共通電極電位Ｖｃｏｍが基準電位からずれることが抑えられる。なお、垂直方向Ｙに並ぶ赤サブ画素Ｐｒに注目した場合、全ての赤サブ画素Ｐｒの極性は負極又は正極の一方に一致している。そのため、赤の単色表示の場合に表示画像に縦スジが生じる可能性があるものの、赤の輝度は青と同様に比較的低いため、画質に対する影響は小さく、十分に良質な画像が得られる。
【００４０】
サブ画素Ｐｒ，Ｐｇ，Ｐｂ，Ｐｗの位置が図７に示す位置に配置されている場合に、信号線駆動回路３が実行する動作について説明する。この例においても図６を参照して説明したのと同様に、偶数フレーム期間において、信号線駆動回路３は走査線Ｇｎの走査タイミングでは映像信号線Ｓ１ｎ〜Ｓ８ｎの一方側（図７では右側）に設けられ走査線Ｇｎに接続されるサブ画素の階調値に応じた映像信号を、映像信号線Ｓ１ｎ〜Ｓ８ｎに出力する。すなわち、信号線駆動回路３は、走査線Ｇｎに走査信号が出力されるタイミングに合わせて、走査線Ｇｎに接続されたサブ画素Ｐｂ，Ｐｗ，Ｐｒ，Ｐｇ，Ｐｂ，Ｐｗ，Ｐｒ，Ｐｇの階調値に応じた映像信号を、映像信号線Ｓ１ｎ〜Ｓ８ｎにそれぞれ出力する。また、信号線駆動回路３は、次の走査線Ｇｎ＋１の走査タイミングでは、映像信号線Ｓ１ｎ〜Ｓ８ｎの他方側（図７では左側）に設けられ且つ走査線Ｇｎ＋１に接続されるサブ画素の階調値に応じた映像信号を、映像信号線Ｓ１ｎ〜Ｓ８ｎに出力する。この時、映像信号線Ｓ１ｎには、走査線Ｇｎ＋１に接続され且つ映像信号線Ｓ８ｎ−１，Ｓ１ｎの間に配置される緑サブ画素Ｐｇの階調値に応じた映像信号を出力する。このように、信号線駆動回路３は、１フレーム期間において、各映像信号線Ｓを通して、当該映像信号線Ｓの一方側に配置されるサブ画素と、他方側に配置されるサブ画素とに交互に映像信号を入力する。映像信号線Ｓ１ｎ〜Ｓ８ｎに出力される映像信号の極性は、この偶数フレーム期間において、＋，−，＋，＋，−，＋，−，−に維持される。奇数フレーム期間中、信号線駆動回路３が映像信号線Ｓ１ｎ〜Ｓ８ｎに出力する映像信号の極性は、偶数フレーム期間中のそれらの極性とは反転する。すなわち、信号線駆動回路３が映像信号線Ｓ１ｎ〜Ｓ８ｎに出力する映像信号の極性は、−，＋，−，−，＋，−，＋，＋に、奇数フレーム期間中維持される。奇数フレーム期間中の信号線駆動回路３の動作は、信号線駆動回路３が当該映像信号線Ｓの一方側に配置されるサブ画素と、他方側に配置されるサブ画素とに、各映像信号線Ｓを通して映像信号を交互に入力する点については、偶数フレーム期間と同様である。
【００４１】
以上説明したように、複数の映像信号線Ｓのそれぞれは、当該映像信号線Ｓの一方側に位置する複数のサブ画素と他方側に位置する複数のサブ画素とに交互に接続されている。信号線駆動回路３は、１フレーム期間において、単位配列を構成する８つの映像信号線Ｓ１ｎ〜Ｓ８ｎのうち１番目、３番目、４番目及び６番目の映像信号線Ｓ１ｎ，Ｓ３ｎ，Ｓ４ｎ，Ｓ６ｎに正極又は負極のうち一方の極性の映像信号を出力し、残りの映像信号線Ｓ２ｎ，Ｓ５ｎ，Ｓ７ｎ，Ｓ８ｎに他方の極性の映像信号を出力している。そのため、映像信号の極性の反転周波数を抑えながら、フリッカの発生や、基準電位からの共通電極電位Ｖｃｏｍのずれの発生を抑えることができる。
【００４２】
また、図２に示す例では、青サブ画素Ｐｂは、互いに隣接するとともに同じ極性の映像信号が入力される映像信号線Ｓ３ｎと映像信号線Ｓ４ｎとの間、及び、互いに隣接するとともに同じ極性の映像信号が入力される映像信号線Ｓ７ｎと映像信号線Ｓ８ｎとの間で、垂直方向Ｙに並んでいる。そのため、垂直方向Ｙに並ぶ青サブ画素Ｐｂに注目した場合、全ての青サブ画素Ｐｂの極性は負極又は正極となる。しかしながら、青の輝度は比較的低いため、画質に対する影響は小さく、十分に良質な画像が得られる。
【００４３】
また、図７に示す例では、複数の赤サブ画素Ｐｒは、互いに隣接するとともに同じ極性の映像信号が入力される映像信号線Ｓ３ｎと映像信号線Ｓ４ｎとの間、及び、互いに隣接するとともに同じ極性の映像信号が入力される映像信号線Ｓ７ｎと映像信号線Ｓ８ｎとの間で、垂直方向Ｙに並んでいる。そのため、垂直方向Ｙに並ぶ赤サブ画素Ｐｒに注目した場合、全ての赤サブ画素Ｐｒの極性は負極又は正極となる。しかしながら、赤の輝度は青と同様に比較的低いため、画質に対する影響は小さく、十分に良質な画像が得られる。
【００４４】
なお、本発明は以上説明した実施形態に限られず、種々の変更が可能である。
【００４５】
例えば、以上の説明では、各画素において、赤サブ画素Ｐｒ，緑サブ画素Ｐｇ，青サブ画素Ｐｂ，白サブ画素Ｐｗは、この順序で並んでいた。しかしながら、サブ画素の並び順は必ずしもこれに限定されない。例えば、図２に示す例では、赤サブ画素Ｐｒと緑サブ画素Ｐｇとの位置は入れ替わっていてもよい。また、図７に示す例では、青サブ画素Ｐｂと白サブ画素Ｐｗの位置は入れ替わっていてもよい。
【符号の説明】
【００４６】
１  液晶表示装置、２  制御回路、３  信号線駆動回路、４  走査線駆動回路、Ｓ  映像信号線、Ｇ  走査線、１０  液晶表示パネル、１１  画素電極、１５  共通電極、１５ａ  共通電極線、Ｐｂ  青サブ画素、Ｐｇ  緑サブ画素、Ｐｒ  赤サブ画素、Ｐｗ  白サブ画素、Ｓ１  １番目の映像信号線、Ｓ２  ２番目の映像信号線、Ｓ３  ３番目の映像信号線、Ｓ４  ４番目の映像信号線、Ｓ５  ５番目の映像信号線、Ｓ６  ６番目の映像信号線、Ｓ７  ７番目の映像信号線、Ｓ８  ８番目の映像信号線、Ｖｃｏｍ  共通電極電位。
【図１】
2013020188.tif 000003
【図２】
2013020188.tif 000004
【図３】
2013020188.tif 000005
【図４】
2013020188.tif 000006
【図５】
2013020188.tif 000007
【図６】
2013020188.tif 000008
【図７】
2013020188.tif 000009
【図８】
2013020188.tif 000010